(57)【要約】【課題】留守番電話サービスが設定されていても接続された携帯電話の機種に依らず、携帯電話への着信を確実に検出して通話ができる通信端末装置を提供することを目的とする。【解決手段】携帯電話との接続ラインの内、音声信号受信ラインにおいて所定時間継続するトーン信号の有無を検出し、また携帯電話からの下りシリアル信号ラインを介して受信した信号がトーン信号の種別を示すトーン種別信号かどうか判定し、前記トーン信号の有無あるいは前記トーン種別信号を受信したら発信者番号要求コマンドを携帯電話へ送出するようにした。この要求に対して携帯電話からの応答があった場合には着信ありの情報を通知するようにしたため、留守番電話サービスを設定していても確実に着信を検出し通話ができるようになるものである。【選択図】  図４
2007189314.tif 000002
【特許請求の範囲】
【請求項１】
アプリケーションプログラムに基づき種々の演算を実行するＣＰＵと、アプリケーションプログラムやデータを記憶しておく記憶手段と、演算処理中の作業エリアや処理途中の中間データなどを一時的に記憶する一時記憶手段と、外部からの指示を受け付け、また外部に出力を送出する入出力部と、前記ＣＰＵで演算した演算結果を表示する表示部と、携帯電話と通信を行うインタフェース部を備えた通信端末装置において、
前記インタフェース部は前記携帯電話との接続ラインの内、音声信号受信ラインにおいて所定時間継続するトーン信号の有無を検出し、前記トーン信号を受信したら前記携帯電話に発信者番号要求コマンドを送出する機能を備えていることを特徴とする通信端末装置。
【請求項２】
請求項１において、前記トーン信号は所定周波数の正弦波が所定時間継続する信号であることを特徴とする通信端末装置。
【請求項３】
アプリケーションプログラムに基づき種々の演算を実行するＣＰＵと、アプリケーションプログラムやデータを記憶しておく記憶手段と、演算処理中の作業エリアや処理途中の中間データなどを一時的に記憶する一時記憶手段と、外部からの指示を受け付け、また外部に出力を送出する入出力部と、前記ＣＰＵで演算した演算結果を表示する表示部と、携帯電話と通信を行うインタフェース部を備えた通信端末装置において、
前記インタフェース部は前記携帯電話との接続ラインの内、携帯電話からの下りシリアル信号ラインを介して受信した信号がトーン信号の種別を示すトーン識別信号かどうか判定し、前記トーン識別信号と判定されると前記携帯電話に発信者番号要求コマンドを送出する機能を備えていることを特徴とする通信端末装置。
【発明の詳細な説明】
【技術分野】
【０００１】
本発明は例えば自動車等に搭載された通信端末装置に係り、好ましくは携帯電話を接続しても携帯電話を手に持たずに通話が可能なハンズフリー機能を有する通信端末装置に関するものである。
【背景技術】
【０００２】
自動車等においては車載端末装置と専用の通信ケーブルを介して携帯電話を接続し、この携帯電話を通信装置として用いることで外部と通信を行ない、所望の情報を取得する通信端末装置が増えてきている。
【０００３】
そして、この通信端末装置においては法律により運転中の携帯電話の使用、特に手に持っての通話が禁止されたことにより携帯電話を手に持たずに通話できるようにするハンズフリー機能を備えた通信端末装置が増えてきている。
【特許文献１】特開２００１−５３８６４号公報
【発明の開示】
【発明が解決しようとする課題】
【０００４】
上述した通信端末装置のハンズフリー機能では接続されたユーザの携帯電話に外部から着信があると、この着信を検出して画面上にその旨を伝えるメッセージを表示したり、特定の着信音を出したりしてユーザに通知するようになっている。尚、ユーザの携帯電話への着信の検出は携帯電話の接続端子から送出されてくる着信音信号の有無によって行なっていた。
【０００５】
一方、携帯電話にも固定電話と同様にユーザが電話に出られない場合に発信元からの伝言を預かってもらう留守番電話サービスが開始されているが、一部の機種においてはこの留守番電話サービスに加入していると、携帯電話自身では着信音が鳴っているにもかかわらず接続端子から着信音信号を送出しないものがある。これは、携帯電話と外部機器との通信に関する規定においてこのような対応が明確に定義されていないことに起因していると考えられる。
【０００６】
本発明の目的はこうした問題点を鑑み、留守番電話サービスが設定されていても接続された携帯電話の機種に依らず、携帯電話への着信を確実に検出して通話ができる通信端末装置を提供することにある。
【課題を解決するための手段】
【０００７】
本発明の特徴は、携帯電話との接続ラインの内、音声信号受信ラインにおいて所定時間継続するトーン信号の有無を検出し、また携帯電話からの下りシリアル信号ラインを介して受信した信号がトーン信号の種別を示すトーン種別信号かどうか判定し、前記トーン信号の有無あるいは前記トーン種別信号を受信したら発信者番号要求コマンドを携帯電話へ送出するようにした通信端末装置にある。
【発明の効果】
【０００８】
本発明によれば、下りシリアル信号ラインを監視して音声信号ラインから所定のトーン信号が送られてきたことを検出した場合、或いは下りシリアルラインを介していずれかのトーン識別信号が送られてきたのを検出した場合に発信者番号取得要求を携帯電話に対して送出するようにして、この要求に対して携帯電話からの応答があった場合にはユーザインタフェース部へ着信ありの情報を通知するようにしたため、留守番電話サービスを設定していても確実に着信を検出し通話ができるようになるものである。
【発明を実施するための最良の形態】
【０００９】
本発明の一実施例を図面に基づき詳細に説明するが、本発明は以下に説明する実施例に限られることなく種々の変形、応用ができることは言うまでもない。
【実施例】
【００１０】
まず、図１に本発明が適用される通信端末装置の例として自動車に搭載される形式の車載用ナビゲーション装置1と携帯電話２との接続例を示している。
携帯電話２にはＵＳＢ（Universal  Serial Bus）コネクタ端子４aが備えられ、同様に車載用ナビゲーション装置１にもＵＳＢ（Universal  Serial Bus）コネクタ端子５aが備えられている。尚、コネクタ端子５aは携帯電話２を接続する為の１８ピンのコネクタ端子とされている。
【００１１】
これらＵＳＢコネクタ端子４a、５aはＵＳＢコネクタプラグ４b、５bを有した通信ケーブル３によって接続され、ナビゲーション装置１と携帯電話２の間で情報の通信ができるように接続されることになる。尚、車載用ナビゲーション装置1と携帯電話２にはそれぞれオフフックボタン６ａ、６ｂ及びオンフックボタン７ａ、７ｂが備えられている。
【００１２】
次に、通信端末装置の例として自動車に搭載する形式のナビゲーション装置の内部構成例について図２を用いて説明する。（以下、通信端末装置は車載用ナビゲーション装置として説明する。）
図２において、ナビゲーション装置１は演算処理部１０、外部記憶装置２０、センサ部３０、表示部４０、外部情報受信部５０、入出力部６０等から構成されている。
【００１３】
演算処理部１０はＣＰＵ(Central Processing Unit)１１、Flash ＲＯＭ(Read Only  Memory) からなる記憶装置１２、ＤＲＡＭ（Dynamic  Random Access Memory）１３から構成されている。もちろん演算処理部１０を構成する要素はこれら以外にもあるが、本発明の説明に関連のない構成要素の図示は省略してある。
【００１４】
ＣＰＵ１１はアプリケーションプログラムを実行するほか種々の演算をするために用いられる。例えばセンサ部３０からの信号を所定のロジックに従って演算したり、ＧＰＳ（Global Positioning System）信号受信部５1からの情報に基づいて車両の現在位置を算出し、算出した現在位置情報から表示に必要な地図情報を外部記憶装置２０から読み出して現在位置としての自車位置マークと共に表示部４０に表示する機能を有している。
また、ＣＰＵ１１はユーザにより任意に指定された２地点間の距離を後述のデータベースに格納された指定地点の座標値データから算出する処理も行なうことができる。
【００１５】
記憶装置１２はハンズフリー機能を実行するアプリケーションプログラムやナビゲーション装置1の各種機能のアプリケーションプログラムやその演算に必要なデータなどを記憶しておくもので、ここではFlash ＲＯＭ１２を用いているがこれと同等の機能を有するＥＰＲＯＭ等であってもよい。
ＤＲＡＭ１３は処理中の作業エリアとして使用したり、地図データなどを一時記憶したりするために用いられるものでSDRAM（Synchronous Dynamic RAM）が使われており、地図情報や演算データ等を記憶したりするものである。
【００１６】
外部記憶装置２０は地図データ、道路種別、道路データを構成するノードやリンク構成情報等の経路計算用道路データ、座標値、電話番号、住所等の施設情報等のナビゲーション処理に必要な情報をデータベースとして構築している。
そして、外部記憶装置２０は前述した情報を記憶しているＤＶＤ(Digital Versatile Disk)２３が挿入されるＤＶＤドライブ２１及びハードディスク装置２２の組み合わせで構成されている。
【００１７】
センサ部３０は方位センサ３１、ジャイロ３２を備えており、方位センサ３１は地球が有している磁場を検出して自動車の向きを検出し、また、ジャイロ３２は光ファイバジャイロや振動ジャイロ等が用いられ、自動車が回転した角度を検出するものである。
これらの方位センサ３１及びジャイロ３２の検出信号はアナログーディジタル変換器（Ａ／Ｄ）３４によりデジタル信号に変換されて内部バス７０を介して演算処理部１０に送られる。    
【００１８】
また、センサ部３０は車輪速センサ３３を備えており、車輪速センサ３３は車輪の回転に伴って出力されるパルス信号をカウンタ３５により計数することにより自動車の走行距離信号を検出し、この走行距離信号は同様に内部バス７０を介して演算処理部１０に送られる。
【００１９】
ＧＰＳ信号受信部５１はＧＰＳアンテナ５４を介してＧＰＳ衛星からの信号を受信し、自動車と衛星との間の距離および距離の変化率を測定することにより、自動車の現在位置、進行方向および進行方位を測定するもので、これらの測定データはＳＣＩ（Serial Communication Interface）５３から内部バス７０を介して演算部１０に送られる。
【００２０】
表示部４０は表示ドライバ４１、グラフィックコントローラ４３、バッファ４４等よりなる表示制御手段及び液晶パネル等からなる表示画面４２から構成され、内部バス７０を介して演算処理部１０から送られてくるデータをバッファ４４に格納し、これに基づいて表示画面４２に地図、誘導ルート、自車位置などを表示させるものである。
【００２１】
また、グラフィックコントローラ４３は表示画面４２に設置されたタッチパネルに設けられた多数のタッチセンサーからの信号を受けてユーザの指等で押された位置を検出する処理も行っている。
【００２２】
入出力部６０はユーザによる指示を受け付けるハードスイッチやジョグスイッチなどで構成されるＫｅｙ ＰＡＤ６２、ユーザの操作するリモコン６５からの光信号を受信するリモコン受光部６１、演算処理部１０が生成した操作者へのメッセージをスピーカ（ＳＰ）６６で音声信号に変換すると共にマイク６８を介して入力される音声信号を取り込んで信号変換するＣＯＤＥＣ６３等により構成されている。
これらはＰＩＯ（Port Input/Output）６４及び内部バス７０を介して演算処理部１０とデータのやり取りを実行する。
【００２３】
携帯電話２と情報のやり取りを行うインタフェース部１６は携帯電話２との間で音声信号（アナログ信号）、コマンドやその応答信号等（デジタル信号）の送受信を行なう機能を有している。
【００２４】
尚、インタフェース部１６は携帯電話２へ送信するコマンドデータをそのインタフェース規格であるＵＳＢに適した信号に変換したり、逆に携帯電話２から受信した応答信号をＣＰＵ１１で処理するのに適した信号に変換したりする処理も行なう。尚、接続プラグ５aを介して車両バッテリからの電力を携帯電話２にも供給するように構成されている。
【００２５】
図３は携帯電話２と接続される通信制御部１００の機能を示したもので、少なくとも入出力部６０からユーザの指示を受け取ったり、種々のメッセージを表示部４０に送って表示させるユーザインタフェース部３００と、このユーザインタフェース部３００からの要求に応じて携帯電話２との通信を行なう携帯電話インタフェース部２００より構成されている。
ここで、携帯電話インタフェース部２００は少なくとも携帯電話２の作動状態や通信制御に必要な情報を記憶しておく状態記憶部２１０と携帯電話２との通信を管理する通信管理部２２０とを備えている。
【００２６】
そして、携帯電話インタフェース部２００はユーザインタフェース部３００からのコマンド(要求)に対してメッセージ(応答)を送り出し、携帯電話２に対して上りシリアル信号となるデータコマンド(要求)を送り、これに対する携帯電話２から下りシリアル信号となるメッセージ(応答)を受け入れるものである。また、ユーザユーザインタフェース部３００には音声入力及び音声出力が入出力される。
尚、実際にはこれらの機能はＲＯＭ１２に格納されているアプリケーションプログラムやソフトモデムプログラムがＲＡＭ１３にロードされてＣＰＵ１１でこのプログラムが実行されることによって実現される。
【００２７】
ちなみにユーザインタフェース部３００はアプリケーションプログラムによってその機能が実現され、携帯電話インタフェース部２００のうち通信管理部２２０はインタフェース部１６を利用したモデムプログラム（ソフトモデム）によってその機能が実現され、状態記憶部２１０はＲＡＭ１３の一部が使用される。
【００２８】
次に接続された携帯電話に着信があった場合の着信検出処理の実施例について図４及び図５を用いて説明するが、本実施例のハンズフリー機能は非通話時に下りシリアル信号及び音声入力信号を監視して実行されるものである。
【００２９】
ここで携帯電話２のトーン識別信号は図６に示す通りであり、コード0000はトーンOFF、コード0001は発信音（400Hz連続）、コード0010は着信表示音（2000Hz、16Hz連続１秒ON2秒OFF）、コード0011は話中音（400Hz、0.5秒ON0.5秒OFF）、コード0100はハウラ音（2000Hz、時定数5〜30秒の漸増音）、コード0101は呼出音（400Hz、16Hz断続1秒ON2秒OFF）、コード0110はダイヤル送出音（400Hz、0.1秒ON0.3秒OFF）、コード0111は電池アラーム音（2000Hz、0.1秒ON0.1秒OFF）、コード1001はアラーム音（2000Hz、連続）、コード1010は着信表示音（転送用：2000Hz、16Hz断続0.5秒ON0.5秒OFF）、コード1011は応答保留音（2000Hz、0.5秒ON0.5秒OFF）、コード1100は通話中着信通知音（400Hz、0.25秒ON0.25秒OFF0.25秒ON  4秒周期）、コード1101はコールウェイティングトーン（2000Hz、16Hz断続1秒ON2秒OFF）をそれぞれ表している。
【００３０】
図４に示すように携帯電話２が着信を受けるとステップ１００（以下ステップをＳと表記する）で携帯電話２から下りシリアルラインを介して下りシリアル信号であるトーン識別信号を携帯電話インタフェース部２００が受信する。
【００３１】
電話インタフェース部２００はＳ１０２でトーン識別信号が音声信号入力ラインを介して送られてくる信号の種類を示すトーン識別信号であると判断した場合、その後音声信号入力ラインを引き続き監視してＳ１０４でトーン識別信号の停止（ＯＦＦ）を知らせるトーン識別信号が来るのを待つ。尚、この間は音声信号ラインを介して着信音が送られてきても無視する。
【００３２】
そして、このトーン識別信号を受信するとＳ１０６で携帯電話２から発信者番号を取得し、Ｓ１０８でユーザインタフェース部３００に対して取得した発信者番号を送付して一連の着信検出処理を終了する。
また、ユーザインタフェース部３００は表示部４０に対して取得した発信者番号を送り、表示部４０は所定の形式で発信者番号を表示して携帯電話に着信があったという情報をユーザに報知する。
【００３３】
一方、図５に示すように携帯電話２から非通話時に音声信号ラインを介して予め設定された所定のトーン信号（発信音信号）が送られてくるのを携帯電話インタフェース部２００が検出した場合、Ｓ１１０で携帯電話インタフェース部２００はトーン識別信号の検出は行なわない。      
【００３４】
そして、携帯電話インタフェース部２００はＳ１１２で所定時間経過したことを判別し、Ｓ１１４で上りシリアル信号ラインを介して携帯電話２から発信者番号取得する。その後Ｓ１１８でユーザインタフェース部３００に対して取得した発信者番号を送付して一連の着信検出処理を終了する。
【００３５】
尚、Ｓ１１２で着信を検出してから所定時間経過しても前記発信者番号が送られてこなかった場合には携帯電話インタフェース部２００はＳ１１８で携帯電話２に対して発信者番号の要求を行い、再びＳ１１４で上りシリアル信号ラインを介して携帯電話２から発信者番号取得する。その後Ｓ１１８でユーザインタフェース部３００に対して取得した発信者番号を送付して一連の着信検出処理を終了する。
【図面の簡単な説明】
【００３６】
【図１】ハンズフリー装置との携帯電話の接続形態を示す図である。
【図２】本発明に関わるハンズフリー装置の内部構成を示す概略図である。
【図３】本発明の一実施例であるハンズフリー装置内の機能ブロックを示す図である。
【図４】本発明のハンズフリー装置における携帯電話の着信検出処理を説明する為の通信フローを示す図である。
【図５】本発明のハンズフリー装置における携帯電話の着信検出処理を説明する為の通信フローを示す図である。
【図６】携帯電話のトーン識別信号を説明する為の図である。
【符号の説明】
【００３７】
１‥ハンズフリー装置。２‥携帯電話、３‥接続ケーブル、４ａ、５ａ‥コネクタ、  
４ｂ、５ｂ‥プラグ、６ａ、６ｂ‥オフフックボタン、７ａ、７ｂ‥オンフックボタン、
１１‥ＣＰＵ、１２‥ＲＯＭ、１３‥ＲＡＭ、１４‥入出力部、１５‥表示部、１６‥
インタフェース部、１００‥制御部。
【図１】
2007189314.tif 000003
【図２】
2007189314.tif 000004
【図３】
2007189314.tif 000005
【図４】
2007189314.tif 000006
【図５】
2007189314.tif 000007
【図６】
2007189314.tif 000008